(57)【要約】【課題】表示媒体への書込において用いる光源種の数を抑制可能な書込装置及び書込方法を提供する。【解決手段】表示媒体１１に含まれる、互いに異なる光吸収波長領域を有する複数の光導電層の数未満の種類数の光源であって、各種類の光源が表示媒体１１に含まれる複数の光導電層の内の少なくとも１つの光導電層の光吸収波長領域を含む波長領域の光を出射し、且つ少なくとも１種類の光源は複数の光導電層の光吸収波長領域を含む波長領域の光を出射する光源を含んだ構成の光照射部３４から、表示媒体１１へ、表示媒体１１に含まれる全ての光導電層の吸収波長領域を含む波長領域の光を照射する。【選択図】図１
2008112098.tif 000002
【特許請求の範囲】
【請求項１】
一対の電極と、一対の電極間に設けられ、予め定められた吸収波長領域の光を吸収することにより該光の強度分布に応じた電気的特性分布を示す光導電層と、前記一対の電極に印加された電圧による前記光導電層の電気的特性分布に応じて分布した分圧が印加され、該分圧に応じた光学的特性分布による画像を表示する表示層と、を含んだ表示素子が複数積層され、前記複数の表示素子に含まれる前記光導電層の各々が相互に異なる吸収波長領域を有する表示媒体に含まれる前記複数の表示素子の内の少なくとも１つに含まれる前記一対の電極に電圧を印加する電圧印加工程と、
種類毎に互いに異なる波長領域の光を出射すると共に、前記表示媒体に含まれる複数の前記光導電層の数未満の種類数の光源であって、各種類の光源が前記表示媒体に含まれる複数の前記光導電層の内の少なくとも１つの光導電層の吸収波長領域を含む波長領域の光を出射し、且つ少なくとも１種類の光源は複数の前記光導電層の吸収波長領域を含む波長領域の光を出射する光源から、前記表示媒体に含まれる全ての前記光導電層の吸収波長領域を含む波長領域の光を前記表示媒体に照射する光照射工程と、
を備えたことを特徴とする書込方法。
【請求項２】
前記光照射工程では、前記表示媒体に含まれる全ての前記光導電層の吸収波長領域を含む波長領域の光を出射する１種類の前記光源から、前記表示媒体に含まれる全ての前記光導電層の吸収波長領域を含む波長領域の光を前記表示媒体に照射する請求項１に記載の書込方法。
【請求項３】
一対の電極と、一対の電極間に設けられ、予め定められた波長領域の光を吸収することにより該光の強度分布に応じた電気的特性分布を示す光導電層と、前記一対の電極に印加された電圧による前記光導電層の電気的特性分布に応じて分布した分圧が印加され、該分圧に応じた光学的特性分布による画像を表示する表示層と、を含んだ表示素子が複数積層され、前記複数の表示素子に含まれる前記光導電層の各々が相互に異なる吸収波長領域を有する表示媒体に含まれる前記複数の表示素子の内の少なくとも１つに含まれる前記一対の電極に電圧を印加する電圧印加手段と、
種類毎に互いに異なる波長領域の光を出射すると共に、前記表示媒体に含まれる複数の前記光導電層の数未満の種類数の光源であって、各種類の光源が前記表示媒体に含まれる複数の前記光導電層の内の少なくとも１つの光導電層の吸収波長領域を含む波長領域の光を出射し、且つ少なくとも１種類の光源は複数の前記光導電層の吸収波長領域を含む波長領域の光を出射する光源を含み、前記表示媒体に含まれる全ての前記光導電層の吸収波長領域を含む波長領域の光を前記表示媒体に照射する光照射手段と、
前記表示媒体に該光を照射するように前記光照射手段を制御すると共に、前記表示媒体に表示する画像の色に応じて、前記表示媒体の複数の前記表示素子の内の少なくとも１つの表示素子の一対の電極に電圧を印加するように前記電圧印加手段を制御する制御手段と、
を備えた書込装置。
【請求項４】
前記光照射手段は、前記表示媒体に含まれる全ての前記光導電層の吸収波長領域を含む波長領域の光を出射する１種類の前記光源を含むことを特徴とする請求項３に記載の書込装置。
【発明の詳細な説明】
【技術分野】
【０００１】
本発明は、書込装置及び書込方法に関する。
【背景技術】
【０００２】
近年、パーソナルコンピュータの普及、インターネットを始めとする情報化社会の発達により、電子情報の一時的な閲覧を目的とする、いわゆる短寿命文書としての紙の消費は、益々増加する傾向にあり、森林資源保護などの地球環境保全や事務環境改善などの理由から、紙に代わる書き換え可能な表示媒体の実現が望まれている。
【０００３】
そこで、無電源でのメモリ性を有し、且つ外部装置によって短時間で画像を書き換えることができる紙に代わる表示媒体として、コレステリック液晶と、電場下で光照射されることで内部光電効果による自由電子の移動が発生する光導電体と、を用いた表示媒体が提案されている（例えば、特許文献１参照）。
【０００４】
特許文献１には、光導電層と表示層とを組み合わせた表示媒体として、フィルム等の一対の基板上に形成された電極と電極との間に、光導電層と、透明隔離層と、遮光層と、表示層と、が積層された表示素子が複数積層されて構成されている。この表示媒体においては、露光光を光導電層に照射されることによって表示媒体の表示層への書込みがなされ、表示層に読出光を照射することによって表示層に書込まれた画像が読み取られる。
【０００５】
複数の光導電層は、互いに異なる波長領域の光について吸収領域を有しており、各光導電層の光吸収領域内の波長領域の光が照射されることで、抵抗値が変化する性質を有している。ここで、目的とする色に発色される表示層を挟むように設けられている一対の電極間に電圧が印加されると、この電極間に設けられた表示層及び光導電層にはそれぞれの分圧が印加される。この分圧が印加された状態で、この光導電層の光吸収波長領域の波長領域の光を露光光として照射することによって、該光導電層が照射された光を吸収して、露光光に応じて光導電層の抵抗分布が変化する。このように、目的とする光導電層の光吸収波長領域の波長領域の露光光を照射することにより、この光導電層と同じ電極間に設けられている表示層に印加される分圧が変化する。表示層に印加される電圧分布が変化すると、液晶の配向分布が変化して光学的特性分布が変化するので、照射された露光光に応じた画像が表示層に記録される。
【０００６】
特許文献１の技術によれば、互いに異なる光吸収波長領域を有する光導電層各々の光吸収波長領域内の波長領域の光を表示媒体に照射するために、各光導電層の数に応じて、互いに異なる波長領域の光を照射する光源が、光導電層の数と同じ種類数設けられていた。具体的には、１つの表示媒体に、緑色に発色する表示層に対応する光導電層、赤色に発色する表示層に対応する光導電層、及び青色に発色する表示層に対応する光導電層が設けられている場合には、この３層の光導電層に応じて、各光導電層の光吸収波長領域の波長領域の光を出射するための３種類の光源が用いられていた。
【特許文献１】特開２００３−５２１０号公報
【発明の開示】
【発明が解決しようとする課題】
【０００７】
本発明は、表示媒体への書込において用いる光源種の数を抑制可能な書込装置及び書込方法を提供することを目的とする。
【課題を解決するための手段】
【０００８】
上記課題は、以下の本発明により達成される。すなわち、
【０００９】
請求項１に係る発明は、一対の電極と、一対の電極間に設けられ、予め定められた吸収波長領域の光を吸収することにより該光の強度分布に応じた電気的特性分布を示す光導電層と、前記一対の電極に印加された電圧による前記光導電層の電気的特性分布に応じて分布した分圧が印加され、該分圧に応じた光学的特性分布による画像を表示する表示層と、を含んだ表示素子が複数積層され、前記複数の表示素子に含まれる前記光導電層の各々が相互に異なる吸収波長領域を有する表示媒体に含まれる前記複数の表示素子の内の少なくとも１つに含まれる前記一対の電極に電圧を印加する電圧印加工程と、種類毎に互いに異なる波長領域の光を出射すると共に、前記表示媒体に含まれる複数の前記光導電層の数未満の種類数の光源であって、各種類の光源が前記表示媒体に含まれる複数の前記光導電層の内の少なくとも１つの光導電層の吸収波長領域を含む波長領域の光を出射し、且つ少なくとも１種類の光源は複数の前記光導電層の吸収波長領域を含む波長領域の光を出射する光源から、前記表示媒体に含まれる全ての前記光導電層の吸収波長領域を含む波長領域の光を前記表示媒体に照射する光照射工程と、を備えたことを特徴とする書込方法である。
【００１０】
請求項２に記載の書込方法は、請求項１に記載の書込方法において、前記光照射工程では、前記表示媒体に含まれる全ての前記光導電層の吸収波長領域を含む波長領域の光を出射する１種類の前記光源から、前記表示媒体に含まれる全ての前記光導電層の吸収波長領域を含む波長領域の光を前記表示媒体に照射する書込方法である。
【００１１】
請求項３に記載の書込装置は、一対の電極と、一対の電極間に設けられ、予め定められた波長領域の光を吸収することにより該光の強度分布に応じた電気的特性分布を示す光導電層と、前記一対の電極に印加された電圧による前記光導電層の電気的特性分布に応じて分布した分圧が印加され、該分圧に応じた光学的特性分布による画像を表示する表示層と、を含んだ表示素子が複数積層され、前記複数の表示素子に含まれる前記光導電層の各々が相互に異なる吸収波長領域を有する表示媒体に含まれる前記複数の表示素子の内の少なくとも１つに含まれる前記一対の電極に電圧を印加する電圧印加手段と、種類毎に互いに異なる波長領域の光を出射すると共に、前記表示媒体に含まれる複数の前記光導電層の数未満の種類数の光源であって、各種類の光源が前記表示媒体に含まれる複数の前記光導電層の内の少なくとも１つの光導電層の吸収波長領域を含む波長領域の光を出射し、且つ少なくとも１種類の光源は複数の前記光導電層の吸収波長領域を含む波長領域の光を出射する光源を含み、前記表示媒体に含まれる全ての前記光導電層の吸収波長領域を含む波長領域の光を前記表示媒体に照射する光照射手段と、前記表示媒体に該光を照射するように前記光照射手段を制御すると共に、前記表示媒体に表示する画像の色に応じて、前記表示媒体の複数の前記表示素子の内の少なくとも１つの表示素子の一対の電極に電圧を印加するように前記電圧印加手段を制御する制御手段と、を備えた書込装置である。
【００１２】
請求項４に記載の書込装置は、請求項３に記載の書込装置において、前記光照射手段は、前記表示媒体に含まれる全ての前記光導電層の吸収波長領域を含む波長領域の光を出射する１種類の前記光源を含むことを特徴とする書込装置である。
【発明の効果】
【００１３】
請求項１に記載の発明によれば、本構成を有していない場合に比較して、表示媒体への書込において用いる光源種の数を抑制可能な書込方法を提供することができる。
【００１４】
請求項２に記載の発明によれば、表示媒体への書込において用いる光源種の数を１種類とすることができる書込方法を提供することができる。
【００１５】
請求項３に記載の発明によれば、本構成を有していない場合に比較して、表示媒体への書込みにおいて用いる光源種の数を抑制可能な書込装置を提供することができる。
【００１６】
請求項４に記載の発明によれば、表示媒体への書込において用いる光源種の数を１種類とすることができる書込装置を提供することができる。
【発明を実施するための最良の形態】
【００１７】
本発明の書込装置及び書込方法の一の実施の形態を図面に基づき説明する。
【００１８】
図１に示すように、本実施の形態の形態に係る書込装置１０は、表示媒体１１に書込を行うための装置である。
【００１９】
表示媒体１１は、基板１２と基板１４との間に表示素子３０と表示素子３２とが基板１５を介して積層されて構成されている。なお、本実施の形態では、表示媒体１１には、２層の表示素子（表示素子３０及び表示素子３２）が積層されて構成されている場合を説明するが、表示媒体１１に表示される表示層の数は２層に限られるものではなく、３層以上であってもよい。
【００２０】
表示素子３０は、電極１６Ａと電極１６Ｂとの間に、光導電層２４、遮光層２２Ａ、表示層２０Ｂ、及び表示層２０Ａが積層されて構成されている。表示素子３２は、１対の電極１８Ａと電極１８Ｂとの間に、光導電層２６、遮光層２２Ｂ、及び表示層２０Ｃが積層されて構成されている。
【００２１】
なお、本実施の形態では、表示素子３０には、２層の表示層（表示層２０Ｂ及び表示層２０Ａ）が設けられている場合を説明するが、１層の表示層が設けられた構成であってもよく、また３層以上の表示層が設けられた構成であってもよい。
【００２２】
なお本実施の形態においては、表示媒体１１が、本発明の書込装置における表示媒体に相当し、光導電層２４及び光導電層２６が本発明の書込装置における表示媒体の光導電層に相当し、表示層２０Ａ、表示層２０Ｂ、及び表示層２０Ｃが、本発明の書込装置の表示層に相当する。
【００２３】
基板１２、基板１４、及び基板１５各々は、絶縁性（体積抵抗で１０１２Ωｃｍ以上、以下これに準ずる）を有している。また、基板１２、基板１４、及び基板１５各々は、透光性を有している。なお、本実施の形態において、透光性とは、波長３８０ｎｍ〜７８０ｎｍの光の８０％以上を透過する性質を示している。
【００２４】
これらの基板１２、基板１４、及び基板１５各々には、必要に応じて、その表面に、液晶配向層、耐摩耗層、ガスの混入を防止するバリア層など公知の機能性膜を形成してもよい。
【００２５】
基板１２、基板１５、及び基板１４は、ガラス及びシリコン等の無機シート、またはポリエチレンテレフタレート、ポリスルホン、ポリエーテルスルホン、ポリカーボネート、及びポリエチレンナフタレート等の高分子フィルムを用いて構成することができる。基板１２、基板１４、及び基板１５の厚みは、０．０１ｍｍ〜０．５ｍｍの範囲内であることが好ましい。
【００２６】
電極１６Ａ、電極１６Ｂ、電極１８Ａ、及び電極１８Ｂは、導電性（体積抵抗で２０００Ωｃｍ以下、以下これに準ずる）を有すると共に、透光性を有している。
【００２７】
電極１６Ａ、電極１６Ｂ、電極１８Ａ、及び電極１８Ｂには、ＩＴＯ（Ｉｎｄｉｕｍ  Ｔｉｎ  Ｏｘｉｄｅ）を用いることができる。なお、本実施の形態では、電極１６Ａ、電極１６Ｂ、電極１８Ａ、及び電極１８ＢにＩＴＯを用いる場合を説明するが、ＩＴＯ以外にも、Ａｕなどの金属膜、ＳｎＯ2、ＺｎＯなど酸化物、ポリピロールなどの導電性高分子の膜などの電気導電体を用いることができる。また、本実施の形態の電極１６Ａは基板１２上にスパッタリングされ、電極１６Ｂ及び電極１８Ａは基板１５の両面に各々スパッタリングされ、電極１８Ｂは基板１４にスパッタリングされて形成されているものとして説明するが、必ずしもスパッタリングによる必要はなく、印刷、ＣＶＤ、蒸着などにより形成することもできる。
【００２８】
光導電層２４及び光導電層２６は、照射された光に対して互いに異なる吸収波長領域（以下、光吸収波長領域と称する場合がある。）を有しており、電場下で光吸収波長領域を含む波長領域の光を照射されると、内部光電効果による自由電子の移動が発生し、光の強度に応じて抵抗値が小さくなる性質を有する。
【００２９】
光導電層２４及び光導電層２６としては、（ａ）無機半導体材料として、アモルファス・シリコンや、ＺｎＳｅ、ＣｄＳなどの化合物半導体により構成される層、（ｂ）有機半導体材料として、アントラセン、ポリビニルカルバゾールなどにより構成される層、（ｃ）光照射によって電荷を発生する電荷発生材料及び電界によって電荷移動を生ずる電荷輸送材料の混合物や積層体により構成される層などが挙げられる。
【００３０】
光導電層２４及び光導電層２６は、ａ−Ｓｉ：Ｈ、ａ−Ｓｅ、Ｔｅ−Ｓｅ、Ａｓ2Ｓｅ3、ＣｄＳｅ、ＣｄＳなどの無機光導電体、あるいはアゾ顔料、フタロシアニン顔料、ペリレン顔料、キナクリドン顔料、ピロロピロール顔料、インジゴ顔料などの電荷発生材料とアリールアミン、ヒドラゾン、トリフェニルメタン、ＰＶＫなどの電荷輸送材料とを組合せた有機光導電体などにより構成される。
【００３１】
ここで、光導電層２４及び光導電層２６は、上述のように、内部光電効果を有し、照射された光の強度に応じて抵抗値が変化することから、交流駆動が可能であり、且つ照射された光に対して対象駆動することが好ましく、この観点から、図１に示すように、光導電層２４は、電荷輸送層（ＣＴＬ）２４Ｂを上下から挟むように一対の電荷発生層（ＣＧＬ）２４Ａ及び電荷発生層２４Ｃが積層された３層構造であることが好ましい。同様に、光導電層２６もまた、電荷輸送層２６Ｂを上下から挟むように一対の電荷発生層２６Ａ及び電荷発生層２６Ｃが積層された３層構造であることが好ましい。
【００３２】
電荷発生層２４Ａ、電荷発生層２４Ｃ、電荷発生層２６Ａ、及び電荷発生層２６Ｃは、書込装置１０から書込みのために照射される露光光２９を吸収して自由電子を発生させる機能を有する層である。
電荷発生層２４Ａ及び電荷発生層２４Ｃとしては、後述する露光光２９を吸収して励起子を発生させ、電荷発生層２４Ａ及び電荷発生層２４Ｃの内部、または電荷輸送層２４Ｂとの界面で自由電子に効率良く分離させられるものが好ましい。
同様に、電荷発生層２６Ａ及び電荷発生層２６Ｃとしては、後述する露光光２９を吸収して励起子を発生させ、電荷発生層２６Ａ及び電荷発生層２６Ｃの内部、または電荷輸送層２６Ｂとの界面で自由電子に効率良く分離させられるものが好ましい。
【００３３】
電荷発生層２４Ａ、電荷発生層２４Ｃ、電荷発生層２６Ａ、及び電荷発生層２６Ｃ各々を構成する電荷発生材料としては、例えば、ペリレン系、フタロシアニン系、ビスアゾ系、ジチオピトケロピロール系、スクワリリウム系、アズレニウム系、チアピリリウム・ポリカーボネート系化合物などが挙げられる。
【００３４】
上記電荷輸送層２４Ｂ及び電荷輸送層２６Ｂを構成する電荷輸送材料としては、例えば、トリニトロフルオレン系、ポリビニルカルバゾール系、オキサジアゾール系、ピラリゾン系、ヒドラゾン系、スチルベン系、トリフェニルアミン系、トリフェニルメタン系、ジアミン系化合物や、ＬｉＣｌＯ4を添加したポリビニルアルコ−ルやポリエチレンオキシド等が、また電荷発生材と電荷輸送材との複合体として、積層体、混合物、マイクロカプセルなど、を利用することができる。
【００３５】
なお、光導電層２４及び光導電層２６の層厚は１〜１００μｍの範囲で用い、露光光２９照射時と露光光２９非照射時の抵抗比は大きい方が望ましい。
【００３６】
表示層２０Ａ、表示層２０Ｂ、及び表示層２０Ｃ各々は、電場によって特定の色の光の選択反射及び透過状態を変調する機能を有し、且つ選択した状態が無電場で保持できる性質の層である。表示層２０Ａ、表示層２０Ｂ、及び表示層２０Ｃが各々電場によって特定の色の光の選択反射状態にあるときには、入射光のうち互いに異なる色の光を選択反射する。なお、表示層２０Ａ、表示層２０Ｂ、及び表示層２０Ｃ各々は、曲げや圧力などの外力に対して変形しない構造であることが望ましい。
【００３７】
表示層２０Ａ、表示層２０Ｂ、及び表示層２０Ｃ各々には、カイラルネマチック液晶（コレステリック液晶）をゼラチンバインダー（高分子マトリックス）中に分散させたＰＤＬＣ（Polymer Network Liquid Crystal）構造を用いることができる。なお、本実施の形態では、表示層２０Ａ、表示層２０Ｂ、及び表示層２０Ｃ各々がＰＤＬＣ構造を採用する場合を説明するが、この構造に限ることなく、コレステリック液晶を、リブを介し電極間距離を固定したセルに配置する方式やカプセル液晶化することにより実現してもよい。また、液晶もコレステリック液晶に限ることなく、スメクチックＡ液晶、ネマチック液晶、ディスコティック液晶などが利用できる。
【００３８】
これらの表示層２０Ａ、表示層２０Ｂ、及び表示層２０Ｃ各々の、光の選択反射状態にあるときにおける選択反射波長領域（表示色波長領域）は互いに異なり、例えば、表示層２０Ａは、Ｂ（ブルー）色の光を選択反射するコレステリック液晶により構成され、表示層２０Ｂは、Ｇ（グリーン）色の光を選択反射するコレステリック液晶により構成され、表示層２０Ｃは、Ｒ（レッド）の色を選択反射するコレステリック液晶により構成されている。
【００３９】
なお、上述のように光の選択反射状態における選択反射光の色の構成となるように表示層が設けられている場合には、例えば、ブルーの光を選択反射する表示層２０Ａ及びグリーンの色を選択反射する表示層２０Ｂが積層された光導電層２４は、Ｂ（ブルー）色の光を吸収する光吸収波長領域を有している。また、レッドの色を選択反射する表示層２０Ｃが積層された光導電層２６は、Ｒ（レッド）色の光を吸収する光吸収波長領域を有している。
【００４０】
これらの各表示層２０Ａ、表示層２０Ｂ、及び表示層２０Ｃ各々の反射波長領域（表示色波長領域）は、例えば、液晶としてコレステリック液晶を用いる場合には、該コレステリック液晶の螺旋ピッチにより調整することができる。コレステリック液晶の螺旋ピッチは、ネマチック液晶に対するカイラル剤の添加量で調整することができる。また、コレステリック液晶の螺旋ピッチの温度依存性を補償するために、捩じれ方向が異なる、または逆の温度依存性を示す複数のカイラル剤を添加する公知の手法を用いてもよい。
なお、液晶の光学的特性変化を補助する補助部材として、偏光板、位相差板、反射板などの受動光学部品と併用したり、液晶中に２色性色素を添加したりしてもよい。
【００４１】
なお、各表示層２０Ａ、表示層２０Ｂ、及び表示層２０Ｃ各々の層厚は通常１〜１００μｍの範囲として用いることが望ましい。
【００４２】
表示層２０Ａ、表示層２０Ｂ、及び表示層２０Ｃ各々に含まれる液晶材料としては、シアノビフェニル系、フェニルシクロヘキシル系、フェニルベンゾエート系、シクロヘキシルベンゾエート系、アゾメチン系、アゾベンゼン系、ピリミジン系、ジオキサン系、シクロヘキシルシクロヘキサン系、スチルベン系、トラン系など公知の液晶組成物が利用できる。液晶材料には２色性色素などの色素、粒子などの添加剤を加えてもよく、高分子マトリクス中に分散したものや、高分子ゲル化したものや、マイクロカプセル化したものでもよい。また、液晶は高分子、中分子、低分子のいずれでもよく、またこれらの混合物でもよい。
【００４３】
遮光層２２Ａ、及び遮光層２２Ｂには、外部光源からの光や入射光、外光の波長の光などを吸収し、電気抵抗の高い材料が用いられ、例えば顔料を分散した樹脂、染料を溶解した樹脂、染料で染色した樹脂などの樹脂色材が利用できる。
【００４４】
遮光層２２Ａ、及び遮光層２２Ｂに必要な光学濃度は、光導電層２４及び光導電層２６の感度と外光の強度とに依存するため一概に規定できないが、少なくとも１以上、さらに２以上であることが望ましい。また、遮光層２２Ａ及び遮光層２２Ｂの電気抵抗は、遮光層内の電流によって解像度の低下を引き起こさないように、少なくとも体積抵抗率で１０８Ω・ｃｍ以上とすることが望ましい。さらに、表示層２０Ａ、表示層２０Ｂ、及び表示層２０Ｃに加わる分圧の変化分を大きくするためには、遮光層２２Ａ及び遮光層２２Ｂの静電容量が大きい程よいので、誘電率が大きく膜厚が薄い方が好ましい。
【００４５】
遮光層２２Ａ、及び遮光層２２Ｂに必要な光学濃度は、電極１６Ａと電極１６Ｂとの間、または電極１８Ａと電極１８Ｂとの間に設けられた光導電層２４及び光導電層２６各々と、表示媒体１１に表示された画像の読出し時に視認方向（図１中Ｘ方向）側から入射される読出光Ｘの強度に依存するため一概に規定できない。しかし、読出光Ｘによる反射光により画像が視認される側（視認される方向Ｘ）とは反対側（図１における矢印Ｘ方向とは反対方向の上流側）からの透過光により視認性が低下するのを防止するために、少なくとも１以上、特に２以上が望ましい。なお、４００〜７００ｎｍの波長域の光学濃度を高くすると視認性の低下を防止する効果が強い。
【００４６】
このようにして形成した遮光層２２Ａ及び遮光層２２Ｂの膜厚は、０．５〜３．０μｍの範囲とすることが好ましく、０．７〜２．０μｍの範囲とすることがより好ましい。
【００４７】
次に、上記表示媒体１１に画像を書込む書込装置について説明する。
【００４８】
図１に示すように、書込装置１０は、光照射部３４、制御部３８、電圧印加部４０、及び遮光部４２を含んで構成されている。
光照射部３４、電圧印加部４０、及び遮光部４２は、制御部３８に信号授受可能に接続されている。
【００４９】
制御部３８は、ＣＰＵ（中央演算処理装置）、ＲＯＭ（Ｒｅａｄ  Ｏｎｌｙ  Ｍｅｍｏｒｙ）、及びＲＡＭ（Random Access Memory）を含むマイクロコンピュータとして構成されており、書込装置１０内の装置各部を制御する。
【００５０】
電圧印加部４０は、電圧印加部４０Ａ及び電圧印加部４０Ｂを含んで構成されている。電圧印加部４０Ａは、表示媒体１１の電極１６Ａ及び電極１６Ｂに信号授受可能に接続されており、電極１６Ａ及び電極１６Ｂに電圧を印加する。電圧印加部４０Ｂは、表示媒体１１の電極１８Ａ及び電極１８Ｂに信号授受可能に接続されており、電極１８Ａ及び電極１８Ｂに電圧を印加する。
【００５１】
書込装置１０には、表示媒体１１を装着するためのスロット（図示省略）が設けられており、このスロット（図示省略）に表示媒体１１が装着されることで、スロット（図示省略）に設けられたコネクタ（図示省略）等を介して表示媒体１１の電極１６Ａ及び電極１６Ｂが電圧印加部４０Ａに電気的に接続され、表示媒体１１の電極１８Ａ及び電極１８Ｂが電圧印加部４０Ｂに電気的に接続されるように構成されている。
また、表示媒体１１が書込装置１０の図示を省略するスロットに装着されると、光照射部３４は、表示媒体１１の基板１４側から基板１２側へ向かって露光光２９を照射可能な状態となる。
【００５２】
電圧印加部４０は、制御部３８から入力された信号に基づいた電圧を、表示媒体１１の電極１６Ａ及び電極１６Ｂ、及び電極１８Ａ及び電極１８Ｂに印加可能に構成されていればよいが、より速い速度表示を行う観点から、ＡＣ出力が可能であり且つ高いスルーレートを有することが好ましい。電圧印加部４０としては、例えば、バイポーラ高電圧アンプなどを用いることができる。
【００５３】
光照射部３４は、上記露光光２９を表示媒体１１内の複数の光導電層（光導電層２４及び光導電層２６）に照射するための複数の光源３５１〜光源３５ｎを含んで構成されている。これらの光源３５１〜光源３５ｎは、同じの波長領域の光を露光光２９として出射する１種類の光源であって、例えば、表示媒体１１の光導電層２４に画像が表示されたときの該画像の各画素に対応して設けられている。なお、以下では、光源３５１〜光源３５ｎを総称する場合には、光源３５（図示省略）として説明する。
【００５４】
ここで、光源３５１〜光源３５ｎから出射される光の波長領域は、表示媒体１１に含まれる複数の光導電層全て（光導電層２４及び光導電層２６双方）の光吸収波長領域を含んでいる。なお、本願で言う「光導電層の光吸収波長領域を含む」とは、光導電層が吸収する全ての波長領域を網羅的に含まなければならないということではなく、当該光導電層が吸収する波長領域の少なくとも一部の光を含んでいれば良いことを示す。換言すれば、光導電層が電気的特性分布を形成するのに必要な波長領域の光を含んでいれば、必ずしも全吸収波長領域の光を含まなくても良い、ということである。
【００５５】
具体的には、図３に示すように、光導電層２４に照射される光の波長に対する光吸収強度（吸光度）の関係が、線図２６Ｙによって示され、光導電層２６に吸収される光の波長に対する光吸収強度の関係が、線図２４Ｙによって示されるとすると、光源３５１〜光源３５ｎ各々は、光導電層２４と光導電層２６の光吸収波長領域を含む波長領域として、例えば、波長領域２５に示されるように、光導電層２４と光導電層２６との光吸収波長領域を含む波長領域２５の光を出射する。
なお、光源３５１〜光源３５ｎ各々から出射される光の波長は、光導電層２４と光導電層２６の各々の最大吸収強度に対応する波長領域を含むことが好ましい。
【００５６】
上記光源３５としては、例えば、蛍光灯、ハロゲンランプ、キセノンランプ、水銀ランプ、ＬＥＤ、無機ＥＬ、有機ＥＬ、レーザー等を用いることができる。
【００５７】
光源３５としてＬＥＤを用いた場合には、本技術を用いない場合に比べて光源による輝度ムラを抑制することができるとともに、表示媒体１１と書込装置１０との距離を短くすることができ、書込装置１０の薄型化を図ることができる。光源の数が減ることによって、減らす前の種類数の光源を用いた場合に比べて輝度むら量が減少するため、本願を用いない場合に比べて、光源と媒体との距離を短くした構成にすることも可能である。
【００５８】
なお、光源３５から表示媒体１１へ照射される光の波長領域は、上述のように、表示媒体１１に含まれる複数の光導電層（光導電層２４及び光導電層２６）全てについて、各々の光に対する吸収波長領域を含む波長領域の光であるが、表示媒体１１に含まれる複数の光導電層の全ての吸収率を考慮した波長領域の光を照射することが好ましい（図２参照）。
【００５９】
具体的には、もっとも光源からの光を効率よく利用してすべてのＯＰＣ層を駆動させるためには、下記式（１）を満たす波長領域の光を射出可能な種類の光源３５を選定すればよい。
【００６０】
（光導電層２６における抵抗値の変化に必要な光吸収光量）／（光導電層２４における抵抗値の変化に必要な光吸収光量）＝（光源３５から照射された光に対する光導電層２６における光吸収率）／（光源３５から照射された光に対する光導電層２４における光吸収率）      ・・・・・・式（１）
【００６１】
なお、上記「光導電層２６における抵抗値の変化に必要な光吸収光量」とは、光源３５から特定の波長領域の光が照射されたときに、光導電層２４及び光導電層２６の内の光照射部３４側に設けられた光導電層２６における抵抗値の変化に必要な光吸収光量を示している。同様に、上記「光導電層２４における抵抗値の変化に必要な光吸収光量」とは、光源３５から特定の波長領域の光が照射されたときに、光導電層２４及び光導電層２６の内の視認方向（図１中、矢印Ｘ参照）側に設けられた光導電層２６における抵抗値の変化に必要な光吸収光量を示している。
【００６２】
なお、上記光の吸収率とは、完全に遮光された状態を１００％としたときに、光源３５から照射された光における光導電層２４及び光導電層２６各々の光吸収量を示している。
また、光導電層２４及び光導電層２６各々における抵抗値の変化に必要な光吸収光量は、予め実験等により測定すればよい。
【００６３】
なお、上記式（１）に示す（光導電層２６における抵抗値の変化に必要な光吸収光量）／（光導電層２４における抵抗値の変化に必要な光吸収光量）と、（光源３５から照射された光に対する光導電層２６における光吸収率）／（光源３５から照射された光に対する光導電層２４における光吸収率）と、の関係が、上記に示すように等しい事が好ましいが、０．８倍〜１．２５倍の関係、または０．５倍〜２．０倍の関係であってもよい。
【００６４】
すなわち、上記式（１）に示す（光導電層２６における抵抗値の変化に必要な光吸収光量）／（光導電層２４における抵抗値の変化に必要な光吸収光量）が、３／４である場合には、（光源３５から照射された光に対する光導電層２６における光吸収率）／（光源３５から照射された光に対する光導電層２４における光吸収率）によって示される値が、３／８から３／２の範囲内となる波長領域の光を照射する光源３５を選択すればよい。
【００６５】
なお、上記では、表示媒体１１に含まれる光導電層２６及び光導電層２４各々の吸収する吸収波長領域で、且つ上記式（１）の関係を満たす波長領域の光を出射可能な光源３５を選択する場合を説明したが、光源３５から射出される光の波長領域の範囲内で、異なる波長領域に光吸収波長領域を有するように光導電層２６及び光導電層２４各々を構成してもよい。
【００６６】
この場合には、上記式（１）の関係を満たすように、光導電層２６及び光導電層２４各々を構成する材料を選択するようにすればもっとも光を効率的に利用することができる。
【００６７】
遮光部４２は、光照射部３４の光源３５１〜３５ｎ各々から照射される光の一部または全てを、表示媒体１１に表示する画像に応じて制御部３８の制御によって遮光する。遮光部４２は、光源３５から表示媒体１１に照射される光の光路を光源３５毎に遮光可能な構成であればよく、一例として、ＬＣＤ（Ｌｉｑｕｉｄ  Ｃｒｙｓｔａｌ  Ｄｉｓｐｌａｙ）等の表示媒体を挙げることができる。
【００６８】
遮光部４２は、例えば、光源３５１〜３５ｎ各々の内の１または複数の光源３５から出射された光が表示媒体１１に照射されることを遮光するために、制御部３８の制御によって、光源３５１〜３５ｎの内の表示媒体１１への光照射を遮光する対象となる光源３５から表示媒体１１へ出射される光の光路を遮断するように、遮光部４２の対応する領域に黒色画像等を表示する。
【００６９】
遮光部４２によって、表示媒体１１の基板１４の板面方向に沿った領域へ、光照射部３４の光源３５から出射された光を選択的に照射可能に設けられている。
【００７０】
次に、書込装置１０における表示媒体１１への書込み処理を説明する。
なお、制御部３８には、表示媒体１１に表示する画像の画像データが予め上記ＲＡＭ等に記憶されているものとして説明する。
【００７１】
図４に示すように、制御部３８では、ステップ１００において、表示媒体１１に表示する画像の画像データに基づいて、光照射部３４の複数の光源３５１〜３５ｎの内の、遮光する光源３５１〜３５ｎに対応する遮光部４２上の領域に、光源３５から射出される波長領域の光を吸収または反射する色の画像を表示することを示す表示信号を出力する。
【００７２】
表示信号が入力された遮光部４２では、表示信号に応じた画像を表示する。ステップ１００の処理によって、表示媒体１１において、光照射部３４により光照射を行わない領域が、光照射部３４の光源３５から出射される光から遮光された状態となる。
【００７３】
次のステップ１０２では、光照射部３４の光源３５１〜３５ｎ各々から光を照射することを示す光照射開始信号を光照射部３４へ出力する。光照射開始信号が入力されると、光照射部３４の各々から表示媒体１１へ向かって光導電層２４及び光導電層２６各々の光吸収波長領域を含む波長領域の光（露光光２９）を照射する。
【００７４】
次のステップ１０４では、表示層２０Ａ、表示層２０Ｂ、及び表示層２０Ｃの内の、表示媒体１１に表示する画像の色に応じた１つの表示層（表示層２０Ａ、表示層２０Ｂ、及び表示層２０Ｃの何れか）を含む表示素子（表示素子３０または表示素子３２）に設けられている一対の電極（電極１６Ａと電極１６Ｂ、または電極１８Ａと電極１８Ｂ）に電圧を印加した後に、本ルーチンを終了する。
【００７５】
ステップ１０４の処理によって、例えば、表示対象となる色に応じた１つの表示層として、表示層２０Ｃを含む表示素子３２に設けられた一対の電極１８Ａ及び電極１８Ｂへ電圧が印加される。
このように、光照射部３４から表示媒体１１へ光が照射されると共に、表示層２０Ｃを含む表示素子３２の電極１８Ａ及び電極１８Ｂに電圧が印加されると、光照射部３４による光の照射による該光の吸収によって光導電層２６の抵抗値が変化する。ここで、電極１８Ａ及び電極１８Ｂの間に設けられた表示層２０Ｃ及び光導電層２６には、それぞれの分圧が印加されているため、この光導電層２６の抵抗値の変化により、表示層２０Ｃの光が照射された領域にかかる分圧が変化する。これにより、表示層２０Ｃの液晶の配向分布が変化して光学的特性分布が変化し、光照射部３４の光源３５から光が照射された表示層２０Ｃの領域が、表示層２０Ｃの液晶の選択反射による色として視認される。
【００７６】
なお、さらに、表示層２０Ｃによって示される以外の色を表示する場合には、ステップ１０４の処理の実行される前または後に、上記ステップ１０４の処理と同様にして、表示層２０Ａ、表示層２０Ｂ、及び表示層２０Ｃの内の、上記ステップ１０４で表示した色以外の表示媒体１１に表示する画像の色に応じた１つの表示層（表示層２０Ａ、表示層２０Ｂ、及び表示層２０Ｃの何れか）を含む表示素子（表示素子３０または表示素子３２）に設けられている一対の電極（電極１６Ａと電極１６Ｂ、または電極１８Ａと電極１８Ｂ）に電圧を印加すればよい。
【００７７】
この場合には、上記ステップ１０４で表示した色以外の、表示対象となる色に応じた１つの表示層として、表示層２０Ａを含む表示素子３０に設けられた一対の電極１６Ａ及び電極１６Ｂへ電圧を印加すればよい。
このようにすれば、光源３５から照射された光による光導電層２４の抵抗変化に応じて、表示層２０Ａ及び表示層２０Ｂの分圧が変化することで、表示層２０Ｃ以外の色を表示することが可能となる。
【００７８】
なお、上記実施の形態では、光照射部３４には、同一の波長領域の光を出射する１種類の光源３５（光源３５１〜光源３５ｎ）が含まれ、この光源３５各々は、表示媒体１１に含まれる複数の光導電層全ての光吸収波長領域を含む波長領域の光を出射する場合を説明したが、光照射部３４の構成は、このような形態に限られるものではなく、種類毎に互いに異なる波長領域の光を出射すると共に、表示媒体１１に含まれる光導電層の数未満の種類数の光源を含んだ構成であって、各種類の光源が表示媒体１１に含まれる光導電層の内の少なくとも１つの光導電層の光吸収波長領域を含む波長領域の光を出射し、且つ少なくとも１種類の光源は２以上の光導電層の光吸収波長領域を含む波長領域の光を出射する構成であればよい。
【００７９】
例えば、表示媒体１１に互いに光吸収波長領域の異なる光導電層が３つ含まれる場合には、光照射部３４は、これらの３つの光導電層の内の、２つの光導電層の光吸収波長領域を含む波長領域の光を出射する光源と、該光源とは異なる波長領域の光を出射すると共に残り１つの光導電層の光吸収波長領域を含む波長領域の光を出射する光源と、の２種類の光源を含んだ構成であってもよいし、また、上記と同様に、３つの光導電層全ての光吸収波長領域を含む波長領域の光を出射する１種類の光源を含んだ構成であってもよい。
【図面の簡単な説明】
【００８０】
【図１】本発明の実施の形態における、表示媒体の装着された書込装置の一例を示す構成図である。
【図２】表示媒体に含まれる光導電層に照射された光の波長と光導電層の光吸収率との関係の一例を示す線図である。
【図３】表示媒体に含まれる光導電層に照射された光の波長と光導電層の光吸収強度との関係の一例を示す線図である。
【図４】書込装置の制御部で実行される処理の一例を示すフローチャートである。
【符号の説明】
【００８１】
１０  書込装置
１１  表示媒体
１６Ａ、１６Ｂ、１８Ａ、１８Ｂ  電極
２０Ａ、２０Ｂ、２０Ｃ  表示層
２４、２６  光導電層
３０  表示素子
３２  表示素子
３４  光照射部
３５、３５１〜３５n  光源
３８  制御部
４０  電圧印加部
【図２】
2008112098.tif 000003
【図３】
2008112098.tif 000004
【図４】
2008112098.tif 000005
【図１】
2008112098.tif 000006